(57)【要約】【課題】防塵効率を高めつつ小型化を図ったプロジェクターを提供する。【解決手段】プロジェクター１は、光源から射出された光束を画像情報に応じて変調して投写する。プロジェクター１は、外部の空気を導入する吸気口を有する外装筐体２と、吸気口から導入された空気を冷却対象に送風する吸気ファン４１，４２と、吸気口から導入された空気を吸気ファン４１，４２に導く吸気ダクト６と、吸気ダクト６内の、吸気口と吸気ファン４１，４２との間に配置され、吸気口から導入される空気に含まれる塵埃を除去する防塵フィルター５Ａ，５Ｂと、を備え、防塵フィルター５Ａ，５Ｂは、吸気ファン４１，４２に対して個別に設けられている。【選択図】図６
2013061445.tif 000002
【特許請求の範囲】
【請求項１】
光源から射出された光束を画像情報に応じて変調して投写するプロジェクターであって、
外部の空気を導入する吸気口を有する外装筐体と、
前記吸気口から導入された空気を冷却対象に送風する複数の吸気ファンと、
前記吸気口から導入された空気を前記吸気ファンに導く吸気ダクトと、
前記吸気ダクト内の、前記吸気口と前記吸気ファンとの間に配置され、前記吸気口から導入される空気に含まれる塵埃を除去する防塵フィルターと、
を備え、
前記防塵フィルターは、前記複数の吸気ファンに対して個別に設けられていることを特徴とするプロジェクター。
【請求項２】
請求項１に記載のプロジェクターであって、
前記複数の防塵フィルターを連結する連結部を備え、
前記複数の防塵フィルターは、スライドにより着脱可能に構成されていることを特徴とするプロジェクター。
【請求項３】
請求項２に記載のプロジェクターであって、
前記連結部は、前記複数の防塵フィルターを互いの位置が変更可能となるように連結し、
前記吸気ダクトは、前記防塵フィルターの移動を案内する案内部を有していることを特徴とするプロジェクター。
【請求項４】
請求項２または請求項３に記載のプロジェクターであって、
前記連結部は、前記防塵フィルターに対して着脱自在に構成されていることを特徴とするプロジェクター。
【請求項５】
請求項１〜請求項４のいずれか一項に記載のプロジェクターであって、
前記吸気ファンは、空気を取り入れる吸入口が前記外装筐体の内部側を向いて配置され、
前記防塵フィルターは、前記吸入口に対向して配置されていることを特徴とするプロジェクター。
【発明の詳細な説明】
【技術分野】
【０００１】
本発明は、プロジェクターに関する。
【背景技術】
【０００２】
従来、光源から射出される光束を画像情報に応じて変調し、スクリーン等の投写面に拡大投写するプロジェクターが知られている。プロジェクターは、光源の点灯に伴う温度上昇により、外装筐体内の光学部品等の性能や機能が低下する恐れがある。そこで、ファンにより外部の空気を外装筐体内に導入し、その空気によって内部の部品を冷却するプロジェクターが提案されている。また、このプロジェクターには、外部の空気に混在する塵埃が外装筐体内部に侵入しないようにエアーフィルターが配置されている（例えば、特許文献１参照）。
【０００３】
特許文献１に記載のプロジェクターは、吸気口を有する外装筐体と、ファン取付プレートと、ファン取付プレートに取り付けられる２つの吸気ファンと、中継部材と、吸気ファンの空気吐出口に接続される吸気ダクトと、エアーフィルターとを備えている。
ファン取付プレートは、２つの吸気ファンの吸込口にそれぞれ対応する開口部を有し、吸気口の内側に配置されている。２つの吸気ファンは、シロッコファンで構成され、一方の吸気ファンは中継部材を介してファン取付プレートに取り付けられている。吸気ダクトは、吸気ファンから吐出された空気を、外装筐体内の光学部品に導く。エアーフィルターは、ファン取付プレートの開口部を覆うように配置されている。そして、吸気ファンが駆動されると、外装筐体の外部の空気は、エアーフィルターによって外気に含まれる塵埃が捕集され、各部材の開口部を通って吸気ファンに吸入される。そして、吸気ファンに吸入された空気は、空気吐出口から吐出され、吸気ダクトに導かれて光学部品を冷却する。
【先行技術文献】
【特許文献】
【０００４】
【特許文献１】特開２０１１−２６５０号公報
【発明の概要】
【発明が解決しようとする課題】
【０００５】
しかしながら、特許文献１に記載のプロジェクターは、２つの吸気ファンを近接して配置する構成のため、これらの部材を配置する箇所が制限されるという課題がある。これによって、吸気ダクトの流路が長くなったり、流路が曲折したりすることにより冷却対象に送風される空気にロスが生じる恐れがある。また、２つの吸気ファンを離して配置した場合には、ファン取付プレートおよびエアーフィルターが大きくなり、ひいてはプロジェクターが大型化するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調して投写するプロジェクターであって、外部の空気を導入する吸気口を有する外装筐体と、前記吸気口から導入された空気を冷却対象に送風する複数の吸気ファンと、前記吸気口から導入された空気を前記吸気ファンに導く吸気ダクトと、前記吸気ダクト内の、前記吸気口と前記吸気ファンとの間に配置され、前記吸気口から導入される空気に含まれる塵埃を除去する防塵フィルターと、を備え、前記防塵フィルターは、前記複数の吸気ファンに対して個別に設けられていることを特徴とする。
【０００８】
本適用例によれば、プロジェクターは、複数の吸気ファンおよび吸気口から導入された空気を吸気ファンに導く吸気ダクトを備えているので、冷却対象を効率よく冷却することが可能となる。また、プロジェクターは、複数の吸気ファンに対して個別に設けられた防塵フィルターを備えている。これによって、各吸気ファンに対応して各防塵フィルターを効率的なサイズに形成することや、各吸気ファンの位置に対応して各防塵フィルターを配置することが可能となる。よって、防塵効率を高めつつ、吸気ファンの効率的な配置（スペースを有効に利用した配置や、空気の流れの損失が少ない流路を形成するための配置）が可能となる。したがって、防塵効率を高めつつ、冷却対象の効率的な冷却、および小型化を図ったプロジェクターの提供が可能となる。
【０００９】
［適用例２］上記適用例に記載のプロジェクターにおいて、前記複数の防塵フィルターを連結する連結部を備え、前記複数の防塵フィルターは、スライドにより着脱可能に構成されていることが好ましい。
【００１０】
本適用例によれば、プロジェクターは、複数の防塵フィルターを連結する連結部を備えているので、プロジェクターの使用者は、所定の位置に配置された複数の防塵フィルターのうちのひとつを引き出すことで、全ての防塵フィルターを取り出すことができ、各防塵フィルターを順次押し入れることで、全ての防塵フィルターを所定の位置に配置することができる。よって、複数の防塵フィルターを容易に交換することが可能となる。
【００１１】
［適用例３］上記適用例に係るプロジェクターにおいて、前記連結部は、前記複数の防塵フィルターを互いの位置が変更可能となるように連結し、前記吸気ダクトは、前記防塵フィルターの移動を案内する案内部を有していることが好ましい。
【００１２】
本適用例によれば、連結部は、複数の防塵フィルターを互いの位置が変更可能となるように連結し、吸気ダクトには、防塵フィルターの移動を案内する案内部が設けられている。これによって、複数の吸気ファンが防塵フィルターの着脱方向に対してずれて配置されている構成であっても、各防塵フィルターを各吸気ファンの位置に対応して配置しつつ、全ての防塵フィルターを容易に着脱可能とすることが可能となる。よって、冷却対象の効率的な冷却およびプロジェクターの小型化を図るための吸気ファンの効率的な配置を構成しつつ、防塵効率を高め、容易に交換可能な防塵フィルターを備えたプロジェクターの提供が可能となる。
【００１３】
［適用例４］上記適用例に係るプロジェクターにおいて、前記連結部は、前記防塵フィルターに対して着脱自在に構成されていることが好ましい。
【００１４】
本適用例によれば、連結部は、防塵フィルターに対して着脱自在に構成されているので、標準となる防塵フィルターを準備しておくことで、プロジェクターの異なる機種等に対応する防塵フィルターを容易に連結してこのプロジェクターに搭載することが可能となる。よって、防塵フィルターの種類の増加を抑制することが可能となり、防塵フィルターの製造工程や在庫管理の簡素化が図れる。
【００１５】
［適用例５］上記適用例に係るプロジェクターにおいて、前記吸気ファンは、空気を取り入れる吸入口が前記外装筐体の内部側を向いて配置され、前記防塵フィルターは、前記吸入口に対向して配置されていることが好ましい。
【００１６】
本適用例によれば、吸気ファンは、吸入口が外装筐体の内部側を向いて配置され、防塵フィルターは、この吸入口に対向して配置されている。つまり、防塵フィルターは、吸気ファンに対して外装筐体の外面側とは反対側に配置されることとなる。これによって、外装筐体の外部から防塵フィルターを見えにくく構成することが可能となる。よって、外観デザインの向上を図ったプロジェクターの提供が可能となる。
【図面の簡単な説明】
【００１７】
【図１】本実施形態のプロジェクターの外観を模式的に示す斜視図。
【図２】本実施形態のプロジェクターの内部の一部を示す斜視図。
【図３】本実施形態の光学ユニットの概略構成を示す模式図。
【図４】本実施形態のプロジェクターの内部の一部を示す斜視図。
【図５】本実施形態の防塵ユニットを模式的に示す斜視図。
【図６】本実施形態のプロジェクターの内部の一部を示す斜視図。
【図７】本実施形態のプロジェクターの内部の一部を示す斜視図。
【発明を実施するための形態】
【００１８】
以下、本実施形態に係るプロジェクターについて、図面を参照して説明する。
本実施形態のプロジェクターは、光源から射出された光束を画像情報に応じて変調してスクリーンに拡大投写する。
【００１９】
〔プロジェクターの主な構成〕
図１は、本実施形態のプロジェクター１の外観を模式的に示す斜視図である。図２は、プロジェクター１の内部の一部を示す斜視図である。
プロジェクター１は、図１、図２に示すように、外装を構成する外装筐体２、制御部（図示省略）、光源装置３１（図３参照）を有する光学ユニット３、冷却装置４、および防塵ユニット５を備えている。
【００２０】
なお、具体的な図示は省略したが、外装筐体２内には、光源装置３１や制御部に電力を供給する電源装置等を備えている。また、以下では、説明の便宜上、光源装置３１から射出される光束の方向を＋Ｘ方向（右方向）、プロジェクター１から投写される光の方向を＋Ｙ方向（前方向）、図１における上側を＋Ｚ方向（上方向）として記載する。
【００２１】
外装筐体２は、合成樹脂製であり、図１に示すように、アッパーケース２１、ロアーケース２２、ランプ蓋２３および開閉蓋２４等を備えている。
【００２２】
アッパーケース２１は、図１に示すように、外装筐体２の上部を構成する。アッパーケース２１の上面には、プロジェクター１の各種指示を行うための操作パネル２０が配置されている。また、アッパーケース２１の上面には、操作パネル２０の左方（−Ｘ方向）に光源装置３１が着脱される開口部が形成されており、この開口部は、ランプ蓋２３によって閉塞されている。
【００２３】
アッパーケース２１の前面には、中央部に前方から見て略矩形の開口部２１１が形成されており、この開口部２１１の内側には、光学ユニット３に備えられた投写レンズ３６が配置されている。そして、投写レンズ３６から射出された光は、この開口部２１１を通過する。また、アッパーケース２１の前面には、開口部２１１の右側（＋Ｘ側）に外部の空気を導入する吸気口２１２が設けられており、この吸気口２１２の下方には、開閉蓋２４が配置されている。
【００２４】
開閉蓋２４は、詳細な図は省略するが、平面視矩形状に形成され、下端部を支点として回転可能にアッパーケース２１に支持されている。開閉蓋２４の内側には、防塵ユニット５が配置されており、この開閉蓋２４が開けられることにより、防塵ユニット５が着脱可能となる。
【００２５】
ロアーケース２２は、外装筐体２の下部を構成する。ロアーケース２２の下部には、プロジェクター１が机上等に設置される際に設置面に当接する脚部２５（図２参照）が設けられている。なお、図示は省略するが外装筐体２には、内部の温まった空気が外部に排出される排気口が形成されている。
【００２６】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投影に関わる制御等を行う。
【００２７】
光学ユニット３は、制御部による制御の下、光源装置３１から射出された光束を光学的に処理して投写する。
図３は、光学ユニット３の概略構成を示す模式図である。
光学ユニット３は、図３に示すように、光源装置３１、インテグレーター照明光学系３２、色分離光学系３３、リレー光学系３４、電気光学装置３５、投写レンズ３６、およびこれらの光学部品を光路上の所定位置に配置する光学部品用筐体３７を備える。
光学ユニット３は、図３に示すように平面視略Ｌ字状に形成され、一方の端部に光源装置３１が着脱可能に配置され、他方の端部に投写レンズ３６が配置される。
【００２８】
光源装置３１は、超高圧水銀ランプやメタルハライドランプ等からなる放電型の光源３１１、リフレクター３１２および光透過部材としての平行化レンズ３１３等を備えている。光源装置３１は、光源３１１から射出された光束をリフレクター３１２にて反射した後、平行化レンズ３１３よって射出方向を揃え、インテグレーター照明光学系３２に向けて射出する。
【００２９】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｃに対して略直交する面内にマトリックス状に配列される複数の小レンズを備えている。
【００３０】
第２レンズアレイ３２２は、第１レンズアレイ３２１と略同様の構成を有しており、重畳レンズ３２４とともに、第１レンズアレイ３２１から射出された部分光束を後述する液晶ライトバルブ３５１の表面に重畳させる。
偏光変換素子３２３は、第２レンズアレイ３２２から射出されたランダム偏光光を液晶ライトバルブ３５１で利用可能な略１種類の偏光光に揃える機能を有する。
【００３１】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する。
【００３２】
リレー光学系３４は、入射側レンズ３４１、リレーレンズ３４３、および反射ミラー３４２，３４４を備え、色分離光学系３３で分離されたＲ光をＲ光用の液晶ライトバルブ３５１Ｒまで導く機能を有する。なお、光学ユニット３は、リレー光学系３４がＲ光を導く構成としているが、これに限らず、例えば、Ｂ光を導く構成としてもよい。
【００３３】
電気光学装置３５は、光変調装置としての液晶ライトバルブ３５１および色合成光学装置としてクロスダイクロイックプリズム３５２を備え、色分離光学系３３で分離された各色光を画像情報に応じて変調し、変調した各色光を合成する。
【００３４】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有している。
【００３５】
液晶ライトバルブ３５１は、図示しない微小画素がマトリックス状に形成された矩形状の画素領域を有し、各画素が画像情報に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００３６】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００３７】
投写レンズ３６は、複数のレンズを有して構成され、クロスダイクロイックプリズム３５２にて合成された光をスクリーン上に拡大投写する。
【００３８】
冷却装置４は、吸気口２１２および開閉蓋２４の内側で、図２に示すように光学ユニット３の右方（＋Ｘ方向）に配置されている。冷却装置４は、図２に示すように、２つの吸気ファン４１，４２および吸気ダクト６を備え、吸気口２１２（図１参照）から外部の空気を取り込み、取り込んだ空気を光学ユニット３に送風する。また、吸気ダクト６は、上ダクト６１および下ダクト６２を有している。なお、図示は省略するが、外装筐体２の内部には、外装筐体２の排気口から内部の温まった空気を外部に排出する排気ファン等を備えた排気装置が配置されている。
【００３９】
防塵ユニット５は、図２に示すように、吸気ダクト６内に配置され、吸気口２１２（図１参照）から導入される空気に含まれる塵埃を除去する。また、防塵ユニット５は、開閉蓋２４（図１参照）が開けられた状態で、前後方向にスライドされることによって吸気ダクト６に対して着脱可能に構成されている。
【００４０】
〔冷却装置および防塵ユニットの構成〕
ここで、冷却装置４および防塵ユニット５について詳細に説明する。
先ず、冷却装置４について説明する。
図４は、プロジェクター１の内部の一部を示す斜視図であり、図２における上ダクト６１および防塵ユニット５を取り外した図である。
冷却装置４は、図４に示すように、吸気ファン４１，４２および吸気ダクト６に加え、２つの排出ダクト４３，４４を備えている。
【００４１】
吸気ファン４１，４２は、回転軸に沿って取り込んだ空気を回転接線方向に吐出するシロッコファンで構成され、光学ユニット３の右方にスペース効率よく配置されている。吸気ファン４１，４２は、図４に示すように、空気を取り入れる吸入口４１Ａ，４２Ａが上方を向き、つまり、吸入口４１Ａ，４２Ａが外装筐体２の内部側を向き、空気を吐出する吐出口（図示省略）が光学ユニット３側を向くようにロアーケース２２に配置される。
【００４２】
また、吸気ファン４１は、吸気ファン４２の前方で、吸気ファン４２より左方に位置するように配置される。つまり、吸気ファン４１，４２は、防塵ユニット５が着脱される着脱方向に対してずれて配置されている。
【００４３】
吸気ダクト６は、吸気口２１２から導入された空気を吸気ファン４１，４２に導く。吸気ダクト６は、図２に示すように、前方に開口部６Ａを有して箱状に形成され、吸気ファン４１，４２の上方に配置される。吸気ダクト６は、上部を形成する上ダクト６１および下部を形成する下ダクト６２を備えている。吸気ダクト６は、上ダクト６１と下ダクト６２とが組み合わされることで、開口部６Ａが形成され、この開口部６Ａは、アッパーケース２１の吸気口２１２（図１参照）に連通している。
【００４４】
下ダクト６２は、図４に示すように、底面部６２Ａおよび案内部６２Ｂ，６２Ｃを有している。
底面部６２Ａは、図４に示すように、吸気ファン４１，４２の吸入側を略覆う大きさに形成され、吸入口４１Ａ，４２Ａに対応する位置には、開口部６２１，６２２が形成されている。
【００４５】
案内部６２Ｂ，６２Ｃは、防塵ユニット５が着脱される際に防塵ユニット５の移動を案内する機能を有している。
案内部６２Ｂは、図４に示すように、底面部６２Ａの左側の端部から上方に起立した後、底面部６２Ａと所定の距離隔てて右方に突出して形成されている。
案内部６２Ｃは、前側においては、底面部６２Ａの右側の端部近傍から、後側においては、底面部６２Ａの右側の端部から、上方に起立した後、底面部６２Ａと所定の距離隔てて左方に突出して形成されている。
【００４６】
また、案内部６２Ｂ，６２Ｃは、左右方向において屈曲して形成されている。具体的に、案内部６２Ｂは、前側端部から開口部６２１に近づく位置に延出する案内部６２Ｂ1、および案内部６２Ｂ1に対して右方に屈曲する案内部６２Ｂ2を有している。案内部６２Ｃは、前側端部から開口部６２２に近づく位置に延出する案内部６２Ｃ1、および案内部６２Ｃ1に対して左方に屈曲する案内部６２Ｃ2を有している。
【００４７】
排出ダクト４３，４４は、吸気ファン４１，４２の吐出口（図示省略）から吐出された空気を冷却対象としての液晶ライトバルブ３５１や偏光変換素子３２３等の光学部品に導く。排出ダクト４３，４４は、図４に示すように、空気が排出される側が光学ユニット３の下方に延出して形成されており、空気の流れの損失となる曲折等の形状が抑制されて形成されている。
【００４８】
冷却装置４は、吸気ファン４１，４２が制御部の指示に基づいて駆動されると、アッパーケース２１の吸気口２１２、および吸気ダクト６の開口部６Ａを介して外部の空気を導入する。そして、冷却装置４は、吸気ファン４１，４２が取り込んだ空気を排出ダクト４３，４４を介して冷却対象に送風し、これらの光学部品を冷却する。
【００４９】
次に、防塵ユニット５について説明する。
図５は、防塵ユニット５を模式的に示す斜視図である。図６は、プロジェクター１の内部の一部を示す斜視図であり、防塵ユニット５が吸気ダクト６内の所定の位置に配置された状態を示す図である。
防塵ユニット５は、吸気口２１２（図１参照）と吸気ファン４１，４２との間に配置される。防塵ユニット５は、図５に示すように、防塵フィルター５Ａ，５Ｂおよび連結部５０を備え、吸気ダクト６に対し、着脱可能に構成されている。
【００５０】
防塵フィルター５Ａ，５Ｂは、それぞれがフィルター本体５１およびフィルター枠５２を備え、同一の形状を有して形成されている。
フィルター本体５１は、通気性を有し、吸気口２１２から導入される空気に含まれる塵埃を除去する部材で、平面視矩形状に形成されている。
【００５１】
フィルター枠５２は、合成樹脂製であり、フィルター本体５１の外周を保持するように平面視矩形の枠状に形成されている。フィルター枠５２の前後方向における枠部には、図５に示すように、上下方向に延出する円柱状の支持軸５２１がそれぞれ形成されている。
【００５２】
連結部５０は、防塵フィルター５Ａ，５Ｂを連結する。連結部５０は、合成樹脂製で長尺状に形成され、図５に示すように、長尺状の両端近傍には、支持軸５２１が挿通される挿通孔を有している。防塵フィルター５Ａ，５Ｂは、一方の支持軸５２１が連結部５０の挿通孔にそれぞれ回転可能に、また、着脱自在に挿通され、連結部５０に連結される。つまり、防塵フィルター５Ａ，５Ｂは、連結部５０によって、互いの位置が変更可能となるように連結され、外装筐体２から取り外された際に、連結部５０の挿通孔に挿通されていない側の支持軸５２１が露出することとなる。また、連結部５０は、防塵フィルター５Ａ，５Ｂの一方が操作され、防塵フィルター５Ａ，５Ｂが離間する方向や近づく方向に移動する際に変形が無く、他方の牽引、押圧が可能な剛性を有して形成されている。
【００５３】
防塵ユニット５は、図６に示すように、吸気ダクト６内の所定の位置に配置されると、防塵フィルター５Ａ，５Ｂのそれぞれのフィルター本体５１が吸気ダクト６の開口部６２１，６２２（図４参照）を覆う状態となる。このように、防塵フィルター５Ａ，５Ｂは、吸気ファン４１，４２に個別に対応して設けられ、吸入口４１Ａ，４２Ａに対向して配置されている。
【００５４】
この防塵ユニット５が所定の位置に配置されている状態において、図６に示すように、防塵フィルター５Ａは、側端部が案内部６２Ｂ1，６２Ｃ1と底面部６２Ａとに挟持されて配置され、防塵フィルター５Ｂは、側端部が案内部６２Ｂ2，６２Ｃ2と底面部６２Ａとに挟持されて配置される。
そして、防塵フィルター５Ａ，５Ｂは、この所定の位置において、吸気口２１２から取り込まれる空気に含まれる塵埃を除去する。
【００５５】
〔防塵ユニットの着脱方法〕
ここで、防塵ユニット５の着脱方法について説明する。
防塵ユニット５は、前述したように、開閉蓋２４（図１参照）が開けられることにより、着脱可能となる。また、防塵ユニット５は、防塵フィルター５Ａ，５Ｂが連結された状態で着脱される。
【００５６】
図７は、プロジェクター１の内部の一部を示す斜視図である。具体的に、図７（ａ）は、防塵ユニット５が所定の位置から引き出された状態を示す図、図７（ｂ）は、図７（ａ）に示す状態より防塵ユニット５がさらに引き出された状態を示す図である。
【００５７】
防塵ユニット５は、開閉蓋２４（図１参照）が開けられると、防塵フィルター５Ａの前側の支持軸５２１が露出する。そして、防塵ユニット５は、この露出した支持軸５２１が把持されて前方に引かれると、図７に示すように、防塵フィルター５Ａ，５Ｂが案内部６２Ｂ，６２Ｃに案内されてスライドして徐々に前方に引出される。
【００５８】
具体的に、防塵フィルター５Ａは、所定の位置から引出される際に、案内部６２Ｂ1，６２Ｃ1に案内され、引出される方向と略同一の方向に移動して案内部６２Ｂ1，６２Ｃ1から引出される。
連結部５０を介して防塵フィルター５Ａに連結している防塵フィルター５Ｂは、引出される方向に対して交差する方向にもスライドしながら引出される。より具体的に、防塵フィルター５Ｂは、図６、図７に示すように、所定の位置から引出される際に、案内部６２Ｂ2，６２Ｃ2および案内部６２Ｂ1，６２Ｃ1に順次案内されて、左方に移動しながら前方に移動することとなる。そして、防塵フィルター５Ｂは、防塵フィルター５Ａと同様に、案内部６２Ｂ1，６２Ｃ1から引出される。
【００５９】
一方、防塵ユニット５が吸気ダクト６内に装着される際には、防塵フィルター５Ａ，５は、防塵フィルター５Ｂ，５Ａの順で両側端部が案内部６２Ｂ1，６２Ｃ1に挿入され、防塵フィルター５Ａが押圧されることで、引出される際と反対の経路を辿って所定の位置に配置される。
【００６０】
このように、防塵ユニット５は、２つの防塵フィルター５Ａ，５Ｂが連結部５０によって連結され、一方の引出し、押圧によって着脱される。
【００６１】
以上説明したように、本実施形態のプロジェクター１によれば、以下の効果を得ることができる。
（１）プロジェクター１は、複数の吸気ファン４１，４２を備えているので、液晶ライトバルブ３５１や偏光変換素子３２３等の光学部品を効率よく冷却することが可能となる。また、プロジェクター１は、複数の吸気ファン４１，４２に対応して個別に設けられた防塵フィルター５Ａ，５Ｂを備えている。これによって、各吸気ファン４１，４２に対応して各防塵フィルター５Ａ，５Ｂを効率的なサイズに形成することや、各吸気ファン４１，４２の位置に対応して各防塵フィルター５Ａ，５Ｂを配置することが可能となる。よって、防塵効率を高めつつ、吸気ファン４１，４２の効率的な配置（スペースを有効に利用した配置や、空気の流れの損失が少ない流路を形成するための配置）が可能となる。したがって、防塵効率を高めつつ、冷却対象の効率的な冷却、および小型化を図ったプロジェクター１の提供が可能となる。
【００６２】
（２）防塵ユニット５は、連結部５０を備えているので、プロジェクター１の使用者は、所定の位置に配置された防塵フィルター５Ａ，５Ｂのうちの防塵フィルター５Ａを引き出すことで、２つの防塵フィルター５Ａ，５Ｂを取り出すことができ、防塵フィルター５Ｂ，５Ａの順で押し入れることで、２つの防塵フィルター５Ａ，５Ｂを所定の位置に配置することができる。よって、２つの防塵フィルター５Ａ，５Ｂを容易に交換することが可能となる。
【００６３】
（３）連結部５０は、防塵フィルター５Ａ，５Ｂを互いの位置が変更可能となるように連結し、吸気ダクト６には、防塵フィルター５Ａ，５Ｂの移動を案内する案内部６２Ｂ，６２Ｃが設けられている。これによって、吸気ファン４１，４２は、防塵フィルター５Ａ，５Ｂの着脱方向に対してずれて配置されているが、防塵フィルター５Ａ，５Ｂを吸気ファン４１，４２の位置に対応して配置しつつ、防塵フィルター５Ａ，５Ｂを容易に着脱することが可能となる。よって、冷却対象の効率的な冷却およびプロジェクター１の小型化を図るための吸気ファン４１，４２の効率的な配置を構成しつつ、防塵効率を高め、容易に交換可能な防塵フィルター５Ａ，５Ｂを備えたプロジェクター１の提供が可能となる。
【００６４】
（４）連結部５０は、防塵フィルター５Ａ，５Ｂに対して着脱自在に構成されている。これによって、防塵フィルター５Ａ，５Ｂ等の標準となる防塵フィルターを準備しておくことで、プロジェクター１の異なる機種等に対応する防塵フィルターを容易に連結してこのプロジェクターに搭載することが可能となる。したがって、防塵フィルターの種類の増加を抑制することが可能となり、防塵フィルターの製造工程や在庫管理の簡素化が図れる。
【００６５】
（５）吸気ファン４１，４２は、吸入口４１Ａ，４２Ａが外装筐体２の内部側を向いて配置され、防塵フィルター５Ａ，５Ｂは、この吸入口４１Ａ，４２Ａに対向して配置されている。つまり、防塵フィルター５Ａ，５Ｂは、吸気ファン４１，４２に対して外装筐体２の外面側とは反対側に配置されることとなる。これによって、外装筐体２の外部から防塵フィルター５Ａ，５Ｂを見えにくく構成することが可能となる。よって、外観デザインの向上を図ったプロジェクター１の提供が可能となる。
【００６６】
なお、前記実施形態は、以下のように変更してもよい。
前記実施形態の防塵フィルター５Ａ，５Ｂは、同一の形状を有して形成されているが、吸気ファン４１，４２のサイズや、空気の吸気能力に対応させて異なるサイズで形成してもよい。
【００６７】
前記実施形態の冷却装置４は、２つの吸気ファン４１，４２を備えて構成されているが、３つ以上の吸気ファンを備える構成にしてもよい。そして、この複数の吸気ファン個別に対応する複数の防塵フィルターを設けてもよい。
【００６８】
前記実施形態の吸気ファン４１，４２は、吸入口４１Ａ，４２Ａが上方を向くように配置されているが、上下方向に対して交差する方向を向くように配置してもよい。
【００６９】
前記実施形態のプロジェクター１は、光変調装置として透過型の液晶ライトバルブ３５１を用いているが、反射型液晶ライトバルブを利用したものであってもよい。
【００７０】
光源３１１は放電型のランプに限らず、その他の方式のランプや発光ダイオード等の固体光源で構成してもよい。
【符号の説明】
【００７１】
１…プロジェクター、２…外装筐体、３…光学ユニット、４…冷却装置、５…防塵ユニット、５Ａ，５Ｂ…防塵フィルター、６…吸気ダクト、６Ａ…開口部、２１…アッパーケース、２２…ロアーケース、２４…開閉蓋、３１…光源装置、３６…投写レンズ、４１，４２…吸気ファン、４１Ａ，４２Ａ…吸入口、５０…連結部、５１…フィルター本体、５２…フィルター枠、６２Ｂ，６２Ｂ1，６２Ｂ2，６２Ｃ，６２Ｃ1，６２Ｃ2…案内部、２１２…吸気口、３１１…光源、３２３…偏光変換素子、３５１，３５１Ｂ，３５１Ｇ，３５１Ｒ…液晶ライトバルブ、５２１…支持軸、６２１，６２２…開口部。
【図１】
2013061445.tif 000003
【図２】
2013061445.tif 000004
【図３】
2013061445.tif 000005
【図４】
2013061445.tif 000006
【図５】
2013061445.tif 000007
【図６】
2013061445.tif 000008
【図７】
2013061445.tif 000009